(57)【要約】【課題】狭小スペースであっても接客間として快適であり、かつ、入浴中に開放感のあるリビングルームを提供する。【解決手段】ベッド収納型バスタブ１は、スライド移動できるベッド２と、ベッド２を収納できる開口部３１が側面に形成された台座部３と、台座部３の上に置かれたバスタブ４と、を備えている。このような構成であるため、狭小スペースであっても接客間として快適であり、かつ、入浴中にも開放感のあるリビングルーム７を構築することができる。【選択図】図１
2018003307.tif 000002
【特許請求の範囲】
【請求項１】
スライド移動できるベッドと、
前記ベッドを収納できる開口部が側面に形成された台座部と、
前記台座部の上に置かれたバスタブと、
を備えることを特徴とする、ベッド収納型バスタブ。
【請求項２】
前記バスタブは、長尺方向に離れた脚部によって支持されていることを特徴とする、請求項１に記載されたベッド収納型バスタブ。
【請求項３】
前記バスタブの上にはテーブルトップが配置されて、テーブルとして使用できるようになっているとともに、前記テーブルトップの側縁は、前記台座部の前記開口部のある側縁近傍まで張り出していることを特徴とする、請求項１又は請求項２に記載されたベッド収納型バスタブ。
【請求項４】
スライド移動できるベッドと、
前記ベッドを収納できる開口部が側面に形成された台座部と、
前記台座部の上に置かれたカウンターキッチンと、
を備えることを特徴とする、ベッド収納型カウンターキッチン。
【請求項５】
請求項１乃至請求項３のいずれか一項に記載されたベッド収納型バスタブ又は請求項４に記載されたベッド収納型カウンターキッチンを備えることを特徴とするワンルームマンション。
【請求項６】
玄関に繋がるエントランスルームと、
前記エントランスルームと間仕切壁によって区切られ、前記ベッド収納型バスタブ又はベッド収納型カウンターキッチンが配置されるリビングルームと、を備え、
前記エントランスルームには、便器が露出して配置されていることを特徴とする、請求項５に記載されたワンルームマンション。
【請求項７】
前記便器が配置される前記エントランスルームは、前記エントランスルーム側から施錠できるようになっていることを特徴とする請求項６に記載されたワンルームマンション。
【発明の詳細な説明】
【技術分野】
【０００１】
本発明は、狭小スペースに配置可能なベッド収納型バスタブ、ベッド収納型カウンターキッチン、及びワンルームマンションに関するものである。
【背景技術】
【０００２】
従来、ワンルームマンションなどの狭小スペースでは、本格的なベッドをリビングルームに置くと、生活臭のあるリビングルームとなり接客間としては不適となる。また、寝室を別にして間仕切壁を設置すると、リビングルーム（接客間）のスペースがさらに矮小となり快適とならない。まして、独立型キッチンやダイニングテーブルなどを配置するのは困難である。また、ワンルームマンションのような狭小スペースに如何に広々とした入浴（バスタブに浸かる）スペース（view bath)を造ったり、豪邸にあるような入浴しながら開放感ある景色や映画、テレビ、音楽などな楽しめる空間を造ったり、広々としたカウンターキッチンを設置したりすることは困難である。
【０００３】
これに関連して、例えば、特許文献１に記載された部屋内配置構造は、ホテル洋室の間取り構造において、相対向する部屋側壁のいずれか一方には、浴槽と身体洗い場から成る浴室と、トイレと洗面台とから成る洗面室が設けられ、他方にはベッドが設置してあるくつろぎ空間を備えていることを特徴とする。この構成により、旅館業法の最低客室床面積を遵守しつつ、かつ経営の効率を図るために客室床面積を出来る限り縮小しながらも、宿泊客の満足が得られる部屋の配置構造となっている。
【先行技術文献】
【特許文献】
【０００４】
【特許文献１】特開２００３−１２９６８１号公報
【発明の概要】
【発明が解決しようとする課題】
【０００５】
しかしながら、特許文献１を含む従来のベッドや浴室（バスタブ）は、浴室、トイレ、ベッドのそれぞれが一定の面積を占めるため、狭小スペースでは接客間として快適ではないうえ、入浴中の開放感を感じることもできなかった。
【０００６】
そこで、本発明は、狭小スペースであっても接客間として快適であり、かつ、入浴中に開放感のあるリビングルームを提供すること、及び本格的な料理を楽しむことのできるリビングルームを提供することを目的としている。
【課題を解決するための手段】
【０００７】
前記目的を達成するために、本発明のベッド収納型バスタブは、スライド移動できるベッドと、前記ベッドを収納できる開口部が側面に形成された台座部と、前記台座部の上に置かれたバスタブと、を備えることを特徴としている。
同様に、本発明のベッド収納型カウンターキッチンは、スライド移動できるベッドと、前記ベッドを収納できる開口部が側面に形成された台座部と、前記台座部の上に置かれたカウンターキッチンと、を備えることを特徴としている。
【発明の効果】
【０００８】
このように、本発明のベッド収納型バスタブは、スライド移動できるベッドと、前記ベッドを収納できる開口部が側面に形成された台座部と、前記台座部の上に置かれたバスタブと、を備えることを特徴としている。このような構成であるため、狭小スペースであっても接客間として快適であり、かつ、入浴中にも開放感のあるリビングルームを構築することができる。
同様に、本発明のベッド収納型カウンターキッチンは、スライド移動できるベッドと、前記ベッドを収納できる開口部が側面に形成された台座部と、前記台座部の上に置かれたカウンターキッチンと、を備えることを特徴としている。このような構成であるため客人の面前で料理をしたり、客人と一緒に料理他、ケーキやクッキー作りを楽しめる十分開放感のあるリビングルームを構築することができる。
【図面の簡単な説明】
【０００９】
【図１】ワンルームマンションの間取り図である。
【図２】実施例１のベッド収納型バスタブの正面図である。
【図３】実施例１のベッド収納型バスタブのベッドを収納した状態の側面図である。
【図４】実施例１のベッド収納型バスタブのベッドを引き出した状態の側面図である。
【図５】実施例１のリビングルームの写真である。
【図６】実施例１のベッド収納型バスタブのベッドを収納した状態の写真である。
【図７】実施例１のベッド収納型バスタブのベッドを引き出した状態の写真である。
【図８】実施例１のエントランスルームの写真である。
【図９】実施例２のベッド収納型カウンターキッチンの正面図である。
【発明を実施するための形態】
【００１０】
以下、本発明の実施の形態について図面を参照しながら説明する。
【実施例１】
【００１１】
（構成）
まず、図１を用いて、本発明のベッド収納型バスタブ１を備えるワンルームマンションＲの全体構成を説明する。ワンルームマンションＲは、図１に示すように、玄関９２に繋がるエントランスルーム９と、エントランスルーム９と間仕切壁８によって区切られ、ベッド収納型バスタブ１が配置されるリビングルーム７と、を備えている。
【００１２】
間仕切壁８は、リビングルーム７とエントランスルーム９を仕切るための壁である。間仕切壁８は、部屋の壁と角度をもって交わる斜め壁部８１を有しており、この斜め壁部８１にドア８２が取り付けられている。このドア８２は、エントランスルーム９側に開くように取り付けられており、さらにエントランスルーム９側から施錠できるようになっている。
【００１３】
エントランスルーム９は、玄関９２に繋がる部屋である。エントランスルーム９には、便器９１と、シャワールーム９３と、洗面台９４と、が設置されている。このうち、便器９１は、仕切壁に囲まれることなく、エントランスルーム９内に露出している。すなわち、玄関９２を開けると、又は、間仕切壁８のドア８２を開けると、便器９１（及び、用を足している人）が見える状態となっている。逆に言うと、玄関９２を施錠し、かつ、間仕切壁８のドア８２を施錠すると、便器９１（及び、用を足している人）は見ることはできない。さらに、シャワールーム９３も、透明なガラス等で囲まれている。
【００１４】
リビングルーム７は、エントランスルーム９と間仕切壁８によって仕切られた部屋であり、ベランダに通じている。リビングルーム７には、キッチン７１と、クローゼット７２と、洗濯機７３と、ベッド収納型バスタブ１と、が設置されている。
【００１５】
そして、本実施例のベッド収納型バスタブ１は、図２〜図４に示すように、スライド移動できるベッド２と、ベッド２を収納できる開口部３１が側面に形成された台座部３と、台座部３の上に置かれたバスタブ４と、を備えている。この他、給水設備６１と、排水設備６２が台座部３に設置されている。
【００１６】
ベッド２は、使用しないときには台座部３の内部に形成された空間に収納されており（図３参照）、使用するときには台座部３の側面の開口部３１を通じて横方向にスライド移動させて引き出すようになっている（図４参照）。台座部３には、他に収納部５も収納されており、枕や衣類などの小物類を収納できるようになっている。なお、図示しないが、ベッド２の下面には、キャスターなどを設置して摺動しやすくしてもよい。
【００１７】
台座部３は、３つの側面と上面とによって箱状に形成されている。したがって、台座部３は、ベッド２と収納部５を収容できる程度の大きさの内部空間を備えている。そして、台座部３の一方の側面には開口部３１が設けられており、この開口部３１を通じてベッド２や収納部５を引き出せるようになっている。開口部３１が設けられた一方の側面に対向する他方の側面には開口部は設けられておらず連続した壁となっている。上面は、バスタブ４や人が載るため、鋼製の枠などによって剛性の高い構造とされている。
【００１８】
バスタブ４は、台座部３の上に載置される浴槽である。バスタブ４は、図２に示すように、長尺方向に離れた脚部４１、・・・によって支持されている。そして、脚部４１、・・・は、台座部３の開口部３１のスパン中央を避けるように配置されている。したがって、脚部４１、・・・を通じて台座部３の上面に作用する荷重は、台座部３の上面のスパン端部寄りに作用することとなる。
【００１９】
さらに、バスタブ４の本体部４２上には、透明なガラス等によって形成されるテーブルトップ４３、・・・が配置されて、テーブルとして使用できるようになっている。テーブルトップ４３、・・・は、軽量化のために４分割されてバスタブ４の上に設置されている。テーブルトップ４３、・・・の側縁は、台座部３の開口部３１のある側縁近傍まで張り出している。したがって、台座部３の下に置いたイス６４に座った人でもテーブルトップ４３上の飲食物に手が届くようになる。テーブルトップ４３、・・・は、入浴中には取り外されて、台座部３上の脇に重ねて立てかけておくことができる。
【００２０】
（作用・効果）
次に、本実施例のベッド収納型バスタブ１の奏する作用・効果を列挙して説明する。
【００２１】
（１）上述してきたように、本実施例のベッド収納型バスタブ１は、スライド移動できるベッド２と、ベッド２を収納できる開口部３１が側面に形成された台座部３と、台座部３の上に置かれたバスタブ４と、を備えている。このような構成であるため、狭小スペースであっても接客間として快適であり、かつ、入浴中にも開放感のあるリビングルーム７を構築することができる。
【００２２】
（２）バスタブ４は、長尺方向に離れた脚部４１、・・・によって支持されているため、台座部３の上面に作用する荷重を端部寄りに分散させて作用させることができる。したがって、台座部３の上面の中央寄りに作用させる場合と比べると、台座部３の剛性を小さくすることができ、台座部３の高さを低くすることができる。
【００２３】
（３）バスタブ４の本体部４２上にはテーブルトップ４３が配置されて、テーブルとして使用できるようになっているとともに、テーブルトップ４３の側縁は、台座部３の開口部３１のある側縁近傍まで張り出していることで、台座部３の下に置いたイス６４に座った人でも、テーブルトップ４３上の飲食物に手が届くようになる。つまり、台座部３上にイスを置くこともできるが、そうするとスパンの中央寄りに荷重が作用することとなり好ましくない。そうすると必然的に、イス６４は台座部３の下に置いて使用することとなる。このため、台座部３の下に置いたイス６４に座った状態でテーブルトップ４３上に手が届くようにすることが必要となる。なお、反対側面は、台座部３に開口部がなく連続した壁となっているため、イス６３を台座部３上に置くことができる。
【００２４】
（４）また、本実施例のワンルームマンションＲは、上述したいずれかに記載されたベッド収納型バスタブ１を備えることで、狭小スペースであっても接客間として快適であり、かつ、入浴中にも開放感のあるリビングルーム７を構築することができる。
【００２５】
（５）また、ワンルームマンションＲは、玄関に繋がるエントランスルーム９と、エントランスルーム９と間仕切壁８によって区切られ、ベッド収納型バスタブ１が配置されるリビングルーム７と、を備え、エントランスルーム９には、便器９１が露出して配置されている。このような構成であるため、用を足すときにも開放感を得ることができる。さらに、シャワーを浴びているときにも、開放感を得ることができる。
【００２６】
（６）また、便器９１が配置されるエントランスルーム９は、エントランスルーム９側から施錠できるようになっていることで、用を足しているときに他人に覗かれるおそれがなくなる。
【実施例２】
【００２７】
以下、図９を用いて、実施例１とは異なりベッド収納型カウンターキッチン１Ａについて説明する。なお、前記実施の形態で説明した内容と同一乃至均等な部分の説明については同一符号を付して説明する。
【００２８】
本実施例のベッド収納型カウンターキッチン１Ａは、図９に示すように、スライド移動できるベッド２と、ベッド２を収納できる開口部３１が側面に形成された台座部３と、台座部３の上に置かれたカウンターキッチン７１と、を備えている。このため、客人の面前で料理をしたり、客人と一緒に料理他、ケーキやクッキー作りを楽しめたりする、十分に開放感のあるリビングルームを構築することができる。
【００２９】
なお、この他の構成および作用効果については、実施例１と略同様であるため説明を省略する。
【００３０】
以上、図面を参照して、本発明の実施例を詳述してきたが、具体的な構成は、この実施例に限らず、本発明の要旨を逸脱しない程度の設計的変更は、本発明に含まれる。
【００３１】
例えば、バスタブ４とカウンターキッチン７１の両方をベッド２の上に配置することも、もちろんできる。他にも、バスタブ４とカウンターキッチン７１の両方に対応する水回り設備を設置して、バスタブ４とカウンターキッチン７１を入れ替えたりすることもできる。
【符号の説明】
【００３２】
Ｒ：ワンルームマンション
１：ベッド収納型バスタブ
１Ａ：ベッド収納型カウンターキッチン
２：ベッド
３：台座部
３１：開口部
４：バスタブ
４１：脚部
４２：本体部
４３：テーブルトップ
５：収納部
７：リビングルーム
７１：キッチン（カウンターキッチン）
８：間仕切壁
９：エントランスルーム
９１：便器
９２：玄関
【図１】
2018003307.tif 000003
【図２】
2018003307.tif 000004
【図３】
2018003307.tif 000005
【図４】
2018003307.tif 000006
【図５】
2018003307.tif 000007
【図６】
2018003307.tif 000008
【図７】
2018003307.tif 000009
【図８】
2018003307.tif 000010
【図９】
2018003307.tif 000011
【手続補正書】
【提出日】平成28年9月20日(2016.9.20)
【手続補正１】
【補正対象書類名】特許請求の範囲
【補正対象項目名】全文
【補正方法】変更
【補正の内容】
【特許請求の範囲】
【請求項１】
スライド移動できるベッドと、
前記ベッドを収納できる開口部が側面に形成された台座部であって、その周囲にタイルが貼られている、台座部と、
前記台座部の上に置かれたバスタブと、
前記バスタブの上に配置されるガラス製のテーブルトップと、
を備えるベッド収納型バスタブであって、
ワンルームマンションのリビングルームに配置されることを特徴とする、ベッド収納型バスタブ。
【請求項２】
スライド移動できるベッドと、
前記ベッドを収納できる開口部が側面に形成された台座部と、
前記台座部の上に置かれたバスタブと、
を備え、
前記バスタブの上にはテーブルトップが配置されて、テーブルとして使用できるようになっているとともに、前記テーブルトップの側縁は、前記台座部の前記開口部のある側縁近傍まで張り出していることを特徴とする、ベッド収納型バスタブ。
【請求項３】
前記バスタブは、長尺方向に離れた脚部によって支持されていることを特徴とする、請求項１又は請求項２に記載されたベッド収納型バスタブ。
【請求項４】
請求項１乃至請求項３のいずれか一項に記載されたベッド収納型バスタブを備えることを特徴とするワンルームマンション。
【請求項５】
玄関に繋がるエントランスルームと、
前記エントランスルームと間仕切壁によって区切られ、前記ベッド収納型バスタブが配置されるリビングルームと、を備え、
前記エントランスルームには、便器が露出して配置されていることを特徴とする、請求項４に記載されたワンルームマンション。
【請求項６】
前記便器が配置される前記エントランスルームは、前記エントランスルーム側から施錠できるようになっていることを特徴とする請求項５に記載されたワンルームマンション。
【手続補正書】
【提出日】平成29年1月25日(2017.1.25)
【手続補正１】
【補正対象書類名】特許請求の範囲
【補正対象項目名】全文
【補正方法】変更
【補正の内容】
【特許請求の範囲】
【請求項１】
スライド移動できるベッドと、
前記ベッドを収納できる開口部が側面に形成された台座部と、
前記台座部の上に置かれたバスタブと、
を備え、
前記バスタブの上にはテーブルトップが配置されて、テーブルとして使用できるようになっているとともに、前記テーブルトップの側縁は、前記台座部の前記開口部のある側縁近傍まで張り出していることを特徴とする、ベッド収納型バスタブ。
【請求項２】
前記バスタブは、長尺方向に離れた脚部によって支持されていることを特徴とする、請求項１に記載されたベッド収納型バスタブ。
【請求項３】
請求項１又は請求項２に記載されたベッド収納型バスタブを備えることを特徴とするワンルームマンション。
【請求項４】
玄関に繋がるエントランスルームと、
前記エントランスルームと間仕切壁によって区切られ、前記ベッド収納型バスタブが配置されるリビングルームと、を備え、
前記エントランスルームには、便器が露出して配置されていることを特徴とする、請求項３に記載されたワンルームマンション。
【請求項５】
前記便器が配置される前記エントランスルームは、前記エントランスルーム側から施錠できるようになっていることを特徴とする請求項４に記載されたワンルームマンション。